(57)【要約】【課題】施工性に優れた壁パネルの連結構造を提供することを課題とする。【解決手段】各壁パネル１ａ、１ｂの側端部に、背方に向けて突出する縁片部７が形成されている。ジョイント部材２が、介装片部１０と、介装片部１０の側端部から背方に向けて突出した沿片部１１と、沿片部１１の後端から前方に折り返された折返片部１２を備えている。沿片部１１と折返片部１２の間に形成された差込溝１３に一方の壁パネル１ａの縁片部７が差し込まれると共に介装片部１０及び沿片部１１が該一方の壁パネル１ａの前面部６及び縁片部７の夫々に沿った状態でジョイント部材２が当該一方の壁パネル１ａに取り付けられる。他方の壁パネル１ｂの縁片部７が介装片部１０に沿わせられ、該他方の壁パネル１ｂの縁片部７、介装片部１０、前記一方の壁パネル１ａの前面部がこれら三者に挿通された締結具により締結されている。【選択図】図１
2011026906.tif 000002
【特許請求の範囲】
【請求項１】
ジョイント部材を介して直角に隣接する各壁パネルの側端部に、背方に向けて突出する縁片部が形成され、ジョイント部材が、介装片部と、介装片部の側端部から背方に向けて突出した沿片部と、沿片部の後端から前方に折り返された折返片部を備え、沿片部と折返片部の間に前方に向けて開口する差込溝が形成され、差込溝に一方の壁パネルの縁片部が差し込まれると共に介装片部及び沿片部が該一方の壁パネルの前面部及び縁片部の夫々に沿った状態でジョイント部材が当該一方の壁パネルに取り付けられ、他方の壁パネルの縁片部が介装片部に沿わせられ、該他方の壁パネルの縁片部、介装片部、前記一方の壁パネルの前面部がこれら三者に挿通された締結具により締結されていることを特徴とする壁パネルの連結構造。
【発明の詳細な説明】
【技術分野】
【０００１】
本発明はジョイント部材を介して連結される壁パネルの連結構造に関する。
【背景技術】
【０００２】
従来より、浴室ユニットの壁を構成する壁パネル同士をジョイント部材を介して連結する連結構造が知られており（例えば特許文献１）、この種の連結構造としては例えば図７に示すものが知られている。
【０００３】
図７に示す連結構造では、ジョイント部材２を介して直角に隣接する各壁パネル１ａ、１ｂの側端部に背方に向けて突出する縁片部７が形成されている。ジョイント部材２は長尺で断面十字状に形成されている。
【０００４】
ジョイント部材２の一片は介装片部１０とされ、該介装片部１０の上下方向の複数箇所には長孔１４が形成されている。このジョイント部材２を用いて両壁パネル１ａ、１ｂを連結するには、ジョイント部材２の介装片部１０を一方の壁パネル１ａの前面に沿わせた後、介装片部１０に他方の壁パネル１ｂの縁片部７を沿わせ、この後、ジョイント部材２の位置を調節して、壁パネル１ａの前面部に形成されたビス用孔８、介装片部１０の長孔１４、及び壁パネル１ｂの縁片部７に形成されたビス用孔９を連通させ、これら孔８、１４、９にビス１９を挿通し、該ビス１９にナット１８を螺合して両壁パネル１ａ、１ｂを介装片部１０を介して締結する。
【０００５】
この連結構造にあっては、壁パネル１ａの前面部と壁パネル１ｂの縁片部７の間に介装片部１０を介装することにより、薄板状の壁パネル１ａの前面部や壁パネル１ｂの縁片部７を補強できる等の利点がある。
【先行技術文献】
【特許文献】
【０００６】
【特許文献１】特開平９−２８７２２２号公報
【発明の概要】
【発明が解決しようとする課題】
【０００７】
ところで、図７に示す従来の壁パネルの連結構造にあっては、連結作業時において、ジョイント部材２を壁パネル１ａの前面部と壁パネル１ｂの縁片部７の間の所定位置に位置決めした状態でビス１９等による連結作業を行わなければならず、施工が容易ではない。
【０００８】
本発明は上記事情に鑑みてなされたものであって、施工性に優れた壁パネルの連結構造を提供することを課題とする。
【課題を解決するための手段】
【０００９】
上記課題を解決するために本発明は以下の構成を有する。ジョイント部材２を介して直角に隣接する各壁パネル１ａ、１ｂの側端部に、背方に向けて突出する縁片部７が形成されている。ジョイント部材２が、介装片部１０と、介装片部１０の側端部から背方に向けて突出した沿片部１１と、沿片部１１の後端から前方に折り返された折返片部１２を備えている。沿片部１１と折返片部１２の間に前方に向けて開口する差込溝１３が形成されている。差込溝１３に一方の壁パネル１ａの縁片部７が差し込まれると共に介装片部１０及び沿片部１１が該一方の壁パネル１ａの前面部６及び縁片部７の夫々に沿った状態でジョイント部材２が当該一方の壁パネル１ａに取り付けられ、他方の壁パネル１ｂの縁片部７が介装片部１０に沿わせられ、該他方の壁パネル１ｂの縁片部７、介装片部１０、前記一方の壁パネル１ａの前面部がこれら三者に挿通された締結具により締結されている。
【００１０】
この壁パネルの連結構造にあっては、ジョイント部材２の差込溝１３に壁パネル１ａの縁片部７を差し込むと共に介装片部１０及び沿片部１１を壁パネル１ａの前面部６及び縁片部７の夫々に沿わせることで、ジョイント部材２を壁パネル１ａに取り付けることができる。このため、施工時に、壁パネル１ａ、ジョイント部材２、及び壁パネル１ｂの三者を締結具１９を用いて連結する場合に、ジョイント部材２を位置決めして固定する作業を省略でき、施工性を向上することができる。
【発明の効果】
【００１１】
本発明にあっては、一方の壁パネル、ジョイント部材、他方の壁パネルの三者を締結具を用いて連結するときに、ジョイント部材を所定位置に位置決めして固定する作業を省略でき、施工性を向上できる。
【図面の簡単な説明】
【００１２】
【図１】本発明の実施形態の一例であって、壁パネルの連結構造を示す水平断面図である。
【図２】同上のジョイント部材の横断面図である。
【図３】（ａ）〜（ｇ）は同上のジョイント部材を一方の壁パネルに取り付けるときの様子を順に示した水平断面図である。
【図４】他例の壁パネルの連結構造を示す水平断面図である。
【図５】同上のジョイント部材の横断面図である。
【図６】（ａ）〜（ｇ）は同上のジョイント部材を一方の壁パネルに取り付けるときの様子を順に示した水平断面図である。
【図７】従来例の分解斜視図である。
【発明を実施するための形態】
【００１３】
以下、添付図面に基づいて本発明の実施形態の一例につき説明する。図１に示す本例の壁パネルの連結構造では、平面視で直角に隣接した壁パネル１ａ、１ｂの側端部同士がジョイント部材２を介して連結されている。
【００１４】
各壁パネル１ａ、１ｂはユニットバスの壁として用いられるものであり、前面部を構成する表面板３を備えている。表面板３は例えば鋼板等で構成される。なお、表面板３の室外側に臨む背面には、図７に示す従来の壁パネル１ａと同様に石膏ボード等からなる芯材５が設けられている。
【００１５】
各壁パネル１ａ、１ｂは、表面板３の前面部６の側端部から背方に向けて突出する縁片部７を備えている。縁片部７は表面板３の側端部を背方に向けて直角に折曲することで形成され、その後端は自由端となっている。
【００１６】
一方の壁パネル１ａの前面部６の側端部には、ビス用孔８が複数貫通形成されている。また、他方の壁パネル１ｂの縁片部７にはビス用孔８に対応するビス用孔９がビス用孔８と同数貫通形成されている。
【００１７】
図２にジョイント部材２の水平断面図を示す。ジョイント部材２は縦長の長尺な部材からなり、壁パネル１ａ、１ｂの上下寸法と同じ長さを有するものであってもよいし、壁パネル１ａ、１ｂの上下寸法よりも短いものであってもよく、後者の場合には、２本のジョイント部材２にて両壁パネル１ａ、１ｂを連結してもよい。
【００１８】
ジョイント部材２は、壁パネル１ａの前面部６と壁パネル１ｂの縁片部７の間に介装される介装片部１０と、介装片部１０の側端部から背方（連結時における壁パネル１ｂの背方）に向けて突出した沿片部１１と、沿片部１１の後端から前方に折り返された折返片部１２とで構成されている。
【００１９】
介装片部１０のビス用孔８、１６に対応する箇所には、縦長の長孔からなる孔１４がビス用孔８と同数形成されている。介装片部１０の沿片部１１からの突出長さは、図１に示す連結時において介装片部１０が壁パネル１ｂの前面よりも後方（壁パネル１ａの縁片部７側）に位置する寸法に設定されている。
【００２０】
沿片部１１は介装片部１０から直角に突出し、介装片部１０を壁パネル１ａの前面部６の前面に沿わせたとき、壁パネル１ａの縁片部７の外面に沿うようになっている。
【００２１】
折返片部１２は沿片部１１の後端から壁パネル１ａ側において折り返されたものであり、沿片部１１と反対側に凸となる断面略弧状に形成されている。折返片部１２と沿片部１１の間には前方に向けて開口する差込溝１３が形成されている。また、折返片部１２の前端部には沿片部１１側に向けて突出した当接部１５が形成されている。
【００２２】
ジョイント部材２を用いて両壁パネル１ａ、１ｂを図１のように連結するには、以下のように行う。
【００２３】
まず差込溝１３に壁パネル１ａの縁片部７を差し込んで介装片部１０及び沿片部１１を壁パネル１ａの前面部６の前面及び縁片部７の外面の夫々に沿わせ、これにより壁パネル１ａにジョイント部材２を取り付ける。このとき、ビス用孔８とこれに対応する孔１４は連通させておく。
【００２４】
前記ジョイント部材２の壁パネル１ａへの取付けは、図３（ａ）〜図３（ｇ）に順に示すように、当接部１５を壁パネル１ａの縁片部７の後端部に当接させた状態で、当該当接部分を支点にして介装片部１０側が壁パネル１ａ側に移動するよう回動させる。このようにすると、介装片部１０が壁パネル１ａの前面部６と縁片部７とでなすコーナー部１６に沿いながらジョイント部材２が回動して縁片部７が差込溝１３に徐々に挿入されていくこととなり、これによって、壁パネル１ａの前面部６と縁片部７とでなす断面Ｌ字状の部分をジョイント部材２に巻き込ませていく容易な取り付けが可能となる。
【００２５】
上記により壁パネル１ａに取り付けられたジョイント部材２は、差込溝１３に壁パネル１ａの縁片部７が差し込まれると共に、介装片部１０及び沿片部１１が壁パネル１ａの前面部６及び縁片部７の夫々に沿い、且つ、当接部１５が壁パネル１ａの縁片部７に弾接した仮止め状態となる。
【００２６】
次に、壁パネル１ｂの縁片部７を、ビス用孔８及び孔１４にこれらに対応するビス用孔９を連通させた状態で、前記壁パネル１ａに取り付けられた介装片部１０の前面に沿わせる。この後、ビス１９を、ビス用孔９、孔１４、及びビス用孔８に順に挿通し、ビス１９の壁パネル１ａの背方に突出した軸部にナット１８を螺合し、該ビス１９及びナット１８からなる締結具により壁パネル１ａの前面部６、介装片部１０、壁パネル１ｂの縁片部７の三者を締結する。以下、他のビス用孔９にも同様にビス１９を挿通して、各ビス１９で壁パネル１ａの前面部６、介装片部１０、壁パネル１ｂの縁片部７の三者を締結することで、図１に示す両壁パネル１ａ、１ｂが連結された状態となる。
【００２７】
この連結状態では、介装片部１０が壁パネル１ｂの前面よりも後方に位置し、壁パネル１ａの前面部６と壁パネル１ｂの縁片部７の前端部との間に室内に連通する隙間１７が形成される。この隙間１７はシリコーン樹脂等の図示しない湿式のシール材を充填するための又は乾式のシール材を打ち込むための隙間として利用されるものであり、前記連結後には隙間１７を埋めるように前記シール材が充填又は打ち込まれ、これによって壁パネル１ａと壁パネル１ｂの間からの水漏れが防止される。
【００２８】
以上説明した本例の壁パネルの連結構造では、既述のように連結作業時においてジョイント部材２を壁パネル１ａに仮止めすることができる。このため、壁パネル１ａ、ジョイント部材２、及び壁パネル１ｂの三者をビス１９及びナット１８を用いて連結するときに、ジョイント部材２を位置決めして固定する作業を省略でき、施工性を向上することができる。
【００２９】
次に上記一例とは異なる他例の壁パネルの連結構造につき説明する。なお以下の説明では一例と同一の構成については同一の番号を付与し、重複する説明は省略する。
【００３０】
図４に示す本例の連結構造では一例とは異なる形状のジョイント部材２を用いて両壁パネル１ａ、１ｂが連結されている。
【００３１】
図５に示すようにジョイント部材２の沿片部１１の後部は、壁パネル１ａとは反対側の側方に向けて突出した断面弧状の弧状部２０からなり、弧状部２０の後端部は沿片部１１の前部よりも壁パネル１ａ側に位置している。折返片部１２は弧状部２０の後端部から前方に向けて突出し、該折返片部１２と弧状部２０の間に差込溝１３が形成されている。差込溝１３の壁パネル１ａ側の内側面は左右方向と直交しているが、反対側の内側面は弧状部２０の壁パネル１ａ側の面で構成された弧状の面となっており、差込溝１３の壁パネル１ａと反対側には、差込溝１３に挿入された壁パネル１ａの縁片部７を逃がすための逃がし用空所２１が形成されている。また、折返片部１２は断面直線状に形成され、該折返片部１２の前端部が当接部１５となっている。
【００３２】
本例のジョイント部材２を壁パネル１ａに取付けるには、図６（ａ）〜図６（ｇ）に順に示すように、まず沿片部１１に対して傾斜させた状態で壁パネル１ａの縁片部７を差込溝１３の逃がし用空所２１に挿入する。続いて、当接部１５に壁パネル１ａの縁片部７に当接させた状態で、当該当接部分を支点にして、ジョイント部材２を介装片部１０が壁パネル１ａ側に向けて移動するよう回動させ、図４に示すように、縁片部７の両面に沿片部１１の前部及び折返片部１２の夫々を沿わせる。ここで、前記ジョイント部材２の回動時には、縁片部７を逃がし用空所２１に逃がすことができ、このため縁片部７が折返片部１２に当接するまで支障なく回動させることができる。
【００３３】
このように本例のジョイント部材２の差込溝１３には、斜めに挿入された縁片部７を逃がすための逃がし用空所２１が形成されているので、ジョイント部材２を壁パネル１ａに一層容易に取り付けることができる。
【００３４】
なお、前記各例では、ビス１９を、ビス用孔９、孔１４、及びビス用孔８に順に挿通したが、逆にビス１９をビス用孔８、孔１４及びビス用孔９に順に挿通し、ビス１９とこれに螺合したナット１８により壁パネル１ａの前面部６、介装片部１０、壁パネル１ｂの縁片部７の三者を締結してもよい。また、これら三者はビス１９だけで、あるいは他の締結具を用いて締結してもよい。また、本発明は浴室の壁以外の壁を構成する壁パネルの連結構造に適用することもできる。
【符号の説明】
【００３５】
１ａ  壁パネル
１ｂ  壁パネル
２  ジョイント部材
７  縁片部
１０  介装片部
１１  沿片部
１２  折返片部
１３  差込溝
１９  ビス
【図１】
2011026906.tif 000003
【図２】
2011026906.tif 000004
【図３】
2011026906.tif 000005
【図４】
2011026906.tif 000006
【図５】
2011026906.tif 000007
【図６】
2011026906.tif 000008
【図７】
2011026906.tif 000009